(57)【特許請求の範囲】
【請求項１】
トラップ排水路を構成する上昇管路とこの上昇管路と一体成形した下降管路を有する水洗便器と排水管とを接続する水洗便器の排水ソケットであって、
前記下降管路の排水口部を挿入して収容する排水口収容部と、 
前記排水管と接続する排水管接続管路部と、 
前記排水口収容部の流出口及び前記排水管接続管路部の流入口との間に設けた拡張空間部と、
前記拡張空間部内に配設されて一方端部を前記流出口と連結し、他方端部が前記流入口と対向して排水通路を構成する蛇腹管と、
前記拡張空間部内に配設され前記他方端部を支持し、前記一方端部を支点として前記蛇腹管を屈曲させる方向に回動可能な蛇腹管支持部材と、
前記蛇腹管支持部材を駆動する駆動装置と、を備え、
前記拡張空間部内に前記蛇腹管支持部材を所定角度回動した状態で前記他方端部を閉塞するために微小間隔を維持して前記他方端部と対面する対向面部を設け、前記対向面部は前記他方端部の移動軌跡に沿った形状をなして、前記他方端部は前記流入口と対向した位置では全開放状態を形成することを特徴とする水洗便器の排水ソケット。
【請求項２】
前記排水口収容部の内側と前記拡張空間部の内部とを連通する連通孔を設け、この連通孔から前記排水口収容部の内側を経由して前記トラツプ排水路の天井部近傍まで延設する通気管を配設したことを特徴とする請求項１記載の水洗便器の排水ソケット。
【請求項３】
前記他方端部にその一部を開口した状態で前記他方端部を塞ぐ弁体を配設し、前記弁体は常時前記他方端部側に付勢され、
前記他方端部が前記対向面部と対面している状態において、前記弁体は前記他方端部の一部を開口して前記他方端部を塞ぎ、
前記他方端部が前記流入口と対向した状態において、前記弁体は前記蛇腹管内の洗浄水及び／又は汚物の重量により前記他方端部から離脱することを特徴とする請求項１記載の水洗便器の排水ソケット。
【発明の詳細な説明】
【技術分野】
【０００１】
本発明は、サイホン作用により汚物を洗浄水と共に排出する水洗便器と排水管とを接続する水洗便器の排水ソケットに関するものである。
【背景技術】
【０００２】
従来、サイホン作用により汚物を洗浄水と共に排出するためにサイホン作用を起こす排水管路を可撓性材料にて形成した水洗便器がある。（例えば、特許文献１参照）
特許文献１に記載された水洗便器は、便器本体のボウル底部の排水口と床面の外部排水管と接続する排出口との間の排水管路を変形自在且つ移動自在になるように合成樹脂のような柔軟な材料で形成した蛇腹管で構成し、蛇腹管の中央部は管路支持部で支持されており駆動装置で管路支持部を上下に駆動できるようになっている。そして、通常時には逆Ｕ字状に蛇腹管を屈曲してトラップ部を形成している。そして、洗浄時にはボウルに洗浄水が供給されると蛇腹管内部が満水状態となりサイホン作用が発生し、サイホン作用終了直前に管路支持部を下方に移動して排水管路を水平にして蛇腹管内に残っている洗浄水を排出している。
【０００３】
しかしながら、特許文献１の水洗便器では、サイホン作用を発生させるために便器本体のボウル底部の排水口と床面の外部排水管と接続する排出口との間の排水流路を合成樹脂のような柔軟な材料で形成した蛇腹管で構成してその途中を上下動するようにしているため、長期間に亘って使用する際に、蛇腹管に亀裂が生じて洗浄水が漏れて床面を濡らしたり、水洗便器の封水状態が形成できなくなって外部排水管からの臭気が逆流する恐れがある。
【０００４】
また、逆Ｕ字状に屈曲したトラップ部内は凹凸面であるため流路抵抗が大きくなり汚物が排出される際の抵抗となってスムースな排出ができなくなる恐れがある。また、便器本体の形状が異なると、蛇腹管の長さ、蛇腹管の管路支持部及びその駆動装置の配置などの変更が必要となりその対応が容易にできない。
【０００５】
【特許文献１】特開平４−２８５２２７号公報
【発明の開示】
【発明が解決しようとする課題】
【０００６】
そこで、本発明は、便器洗浄時にサイホン作用を発生してボウル内の汚物を洗浄水と共に排出し、便器の排水口から下流側で亀裂などが生じても床面への漏水がなく、洗浄後の封水状態を確実に保持し、また、設置される便器本体の形状が異なった場合、外部排水管との接続に容易に対応することができる水洗便器の排水ソケットを提供することを目的とする。
【課題を解決するための手段】
【０００７】
上記課題を解決するために、請求項１に記載の本発明は、トラップ排水路を構成する上昇管路とこの上昇管路と一体成形した下降管路を有する水洗便器と排水管とを接続する水洗便器の排水ソケットであって、前記下降管路の排水口部を挿入して収容する排水口収容部と、前記排水管と接続する排水管接続管路部と、前記排水口収容部の流出口及び前記排水管接続管路部の流入口との間に設けた拡張空間部と、前記拡張空間部内に配設されて一方端部を前記流出口と連結し、他方端部が前記流入口と対向して排水通路を形成する蛇腹管と、前記拡張空間部内に配設され前記他方端部を支持し、前記一方端部を支点として前記蛇腹管を屈曲させる方向に回動可能な蛇腹管支持部材と、前記蛇腹管支持部材を駆動する駆動手段と、を備え、前記拡張空間部内に前記蛇腹管支持部材を所定角度回動した状態で前記他方端部を閉塞するために微小間隔を維持して前記他方端部と対面する対向面部を設け、前記対向面部は前記他方端部の移動軌跡に沿った形状をなして、前記他方端部は前記流入口と対向した位置では前記他方端部の全開放状態を形成することを特徴とする。
【０００８】
上記のように構成された本発明においては、水洗便器のトラップ排水路を構成する上昇管路と下降管路を一体成形で構成しているので、水洗便器の封水が水洗便器本体側で形成され蛇腹管に亀裂が生じた場合で封水切れが発生することがない。
また、下降管の下流側に設けた蛇腹管の先端部の全開放状態、または全閉塞状態の形成が簡易に構成できるため、水洗便器本体側の上昇管路、下降管路の形状が変動しても蛇腹管の先端部の開放状態、閉塞状態を調整することにより水洗便器に応じて最適なサイホン作用を誘発させることが可能となり、水洗便器の洗浄性能が確保できる。
また、仮に蛇腹管に亀裂が生じて漏水した場合、漏れた洗浄水は拡張空間内に流入して排水管接続管路部の流入口から外部の排水管に排水され、床面に漏水することはない。
【０００９】
また、本発明において、好ましくは、前記排水口収容部の内側と前記拡張空間部の内部とを連通する連通孔を設け、この連通孔から前記排水口収容部の内側を経由して前記トラップ排水路の頂部近傍まで延設する通気管を配設する構成とする。
【００１０】
上記のように構成された本発明においては、水洗便器の洗浄操作が蛇腹管の他方端部を回動して塞いだ状態で開始され、開始後、トラップ部内の空気が蛇腹管の他方端部と対向面部との間隙から排出されると共に、連通管から拡張空間部を通って排水管に排出される。そのためトラップ部内の空気が早期に排出されて下降管路の下流部及び蛇腹管内を洗浄水で満水状態が早期に形成され、蛇腹管の他方端部を全開状態にしてサイホン作用を早期に誘発することができ、節水効果が得られる。
【００１１】
また、本発明において、好ましくは、前記他方端部にその一部を開口した状態で前記他方端部を塞ぐ弁体を配設し、前記弁体は常時前記他方端部側に付勢され、前記他方端部が前記対向面部と対面している状態において、前記弁体は前記他方端部の一部を開口して前記他方端部を塞ぎ、前記他方端部が前記流入口と対向した状態において、前記弁体は前記蛇腹管内の洗浄水及び／又は汚物の重量により前記他方端部から離脱する構成とする。
【００１２】
上記のように構成された本発明においては、水洗便器の洗浄操作が蛇腹管の他方端部を回動して塞いだ状態で開始され、開始後、下降管路の下流部及び蛇腹管内を洗浄水で満水状態となり蛇腹管の他方端部を初期状態に戻す。すると、
弁体と他方端部との間の開口から洗浄水がトラップ排水路内の残留空気を巻き込みながら排水管に排出してサイホン作用を早期に誘発することができ、節水効果が得られる。
【発明の効果】
【００１３】
本発明によれば、便器洗浄時にサイホン作用を発生してボウル内の汚物を洗浄水と共に排出し、便器の排水口から下流側で亀裂などが生じても床面への漏水がなく、洗浄後の封水状態を確実に保持し、また、設置される便器本体の形状が異なった場合、外部排水管との接続に容易に対応することができる。
【発明を実施するための最良の形態】
【００１４】
以下、図面を用いて本発明に係る水洗便器の排水ソケットの実施形態を説明する。
（第１の実施形態）
図１は、本発明に係る水洗便器の排水ソケットの第１の実施形態を説明する断面図で、床面に固定した排水ソケット１とサイホンゼット式の水洗便器１０とを接続して配設した洗浄操作前の初期状態を示す図である。
水洗便器１０は、ボウル部６と、ボウル部６の上部周縁に形成したリム部１０ａと、ボウル部６の底部に配設したジェット孔１０ｂと、ボウル部６の底部から連設した上昇管路８ａ、下降管路８ｂとからなるトラップ排水路８を一体成形で構成している。Ｗ１はボウル部６及び上昇管路８ａ内の初期水位（封水位置）である。
【００１５】
排水ソケット１は、水洗便器１０の下降管路８ｂの先端の排出口８ｄを収容する円筒状の排出口収容部１ａ、後述する蛇腹管２を内部に収容した筒状の拡張空間形成部１ｃ、床に配設した排水管９と接続するための排水管接続管路部１ｅを設けている。排出口収容部１ａと拡張空間形成部１ｃとを流出口１ｂで連絡し、拡張空間形成部１ｃと排水管接続管路部１ｅとを排水管接続管路部流入口１ｄで連絡している。蛇腹管２は、一方の開口した端部を流出口１ｂと連結し他方の開口した他方端部２ａの外周部を支持部材４で支持している。さらに、支持部材４を支持して回動する回動アーム３ａ、回動アーム３ａと連結して回動アーム３ａを駆動する駆動装置３を備えている。
そして、排出口収容部１ａ→流出口１ｂ→蛇腹管２→排水管接続管路部流入口１ｄ→排水管接続管路部１ｅ経路で排水流路を構成している。他方端部２ａの外周部は支持部材４と水密状に支持されている。
また、拡張空間形成部１ｃの内部には蛇腹管２が初期状態から回動する方向（図１では左側）に支持部材４の先端部の形状をした対向面部５を設けている。支持部材４の先端部と対向面部５との間は支持部材４がスムースに回動する微小間隔で対向して蛇腹管２の他方端部２ａを閉塞する状態を形成するようにしている。また、蛇腹管２は合成樹脂材料で形成している。
【００１６】
次に、図１、図２及び図３を用いて、洗浄操作について説明する。図２は洗浄操作開始後の状態を示す図、図３は洗浄操作開始後サイホン作用を誘発させる前の状態を示す図である。
図１の初期状態から洗浄操作を開始すると図２に示すように駆動装置３の駆動により回動アーム３ａが時計方向に回動して、支持部材４の先端部全体が対向面部５と対面し、蛇腹管２の他方端部２ａが塞がれた状態となる。
【００１７】
その後、図示しない洗浄水供給装置より水洗便器１０のリム部１０ａに洗浄水を供給してボウル部６を洗浄すると共に、ジェット孔１０ｂから洗浄水を吐水させる。すると、図３に示すように、ボウル部６内の水位が上昇すると共に、トラップ排水路８の頂部７を越えて溢れた洗浄水が下降管路８ｂの下流側の管路内、排出口収容部１ａ内、蛇腹管２内に滞留する。この時、支持部材４の先端面と対向面部５との間の隙間から洗浄水が漏れるが、ボウル部６及びジェット孔１０ｂから供給される洗浄水の水量が多く、ボウル部６内の水位がＷ２まで上昇すると共に、トラップ排水路８のトラップ頂部７を越えて溢れた洗浄水が下降管路８ｂ内に流れ込んで水位は上昇する。
【００１８】
そして、下降管路８ｂ内の水位がＷ３の高さ位置になったタイミングで、駆動装置３の駆動により回動アーム３ａが反時計方向に回動して図１で示す初期状態に戻す。すると、下降管路８ｂ、排出口収容部１ａ、蛇腹管２に滞留した洗浄水が急激に排水管接続管路部流入口１ｄから排水管接続管路部１ｅを通過して排水管９内に落下して、ボウル部６内の水位Ｗ２が下降し、トラップ排水路８内が満水状態となってサイホン作用を発生させる。サイホン作用が発生した後はボウル部６内の汚物を洗浄水と共に排水管９に排出する。
【００１９】
上記第１の実施形態では、便器洗浄を行う度に蛇腹管２は繰り返し変形し、亀裂等の損傷が発生し漏水が生じる可能性があることが考えられるが、蛇腹管２を排水ソケット１内部に配設しているため、万が一亀裂等の損傷が生じて漏水した場合であっても漏れた水は排水ソケット１の拡張空間形成部１ｃ内を通じて排水管９へと流れ、床面を濡らすことはない。
【００２０】
また、排水ソケット１はトラップ排水路を構成する上昇管路とこの上昇管路と一体成形した下降管路を有する水洗便器と排水管とを接続するものであるので、水洗便器本体側で封水状態を形成され、万が一蛇腹管２に亀裂等の損傷が生じて漏水した場合であっても封水切れによる汚臭の逆流等の問題が生じることはない。
【００２１】
また、接続する水洗便器本体の大きさ、形状が多少異なる場合であってもトラップ排水路を構成する上昇管路とこの上昇管路路と一体成形した下降管路を有する水洗便器であれば、下降管路と本実施形態の排水ソケットを接続することにより、水洗便器に応じてサイホン作用を誘発させるのに最適なタイミングが調整でき、汚物及び洗浄水の排出が確実に行なうことができる。
【００２２】
（第２の実施形態）
図４は、本発明に係る水洗便器の排水ソケットの第２の実施形態の説明図で
洗浄操作開始後の状態を示す図である。
この第２の実施形態では、排出口収容部１ａと拡張空間形成部１ｃとを連通する連通孔１ｆを設け、この連通孔１ｆに一方端を連結し、他方端を水洗便器１０のトラップ排水路８内の天井部８ｃ近傍まで延設する通気管１１を配設している。その他の構成、洗浄操作については第１の実施形態と同じであるので説明を省略する。
【００２３】
上記第２の実施形態においては、洗浄初期においてボウル部６側から流入してくる洗浄水が上昇管８ａから上昇してトラップ頂部７を越えて下降管路８ｂに落下していく。その際、トラップ頂部７から下流側のトラップ排水路８、下降管路８ｂ、排出口収容部１ａの内部の残留空気が速やかに通気管１１から拡張空間形成部１ｃ内に排出される。そのため下降管路８ｂの下方部、排出口収容部１ａ及び蛇腹管２内を早期に満水状態にすることができ、下降管路８ｂ内の水位がＷ３まで上昇した後、蛇腹管２を図１に示す状態に戻して早期にサイホンを誘発する状態を形成することが可能となる。
【００２４】
次に、第１の実施形態における蛇腹管２の別の実施形態を図５を用いて説明する。
この実施形態の蛇腹管２は他方端部２ａに弁体１２を配設したもので、弁体１２の一端１３を弁体回転中心１４を支点として回動し、常に、スプリング（図示しない）の付勢力によって蛇腹管２の他方端部２ａに押し付けられた状態にしている。そして、押し付けられた状態で他方端部２ａの一部が開口された開口部１５を形成する形状をしている。また、スプリングの付勢力は、蛇腹管２内に汚物が搬送されて排水管に落下するのに抵抗とならない強さに設定している。
【００２５】
蛇腹管２の他方端部２ａに上記のような弁体１２を設けることにより、蛇腹管２の他方端部２ａ付近に若干の洗浄水を貯水する貯水部が形成され、その貯水部に洗浄水が激しく流入することにより、トラップ排水路８内並びに排水ソケット１の排水通路内の空気が貯水と攪拌され、攪拌された空気１６は洗浄水と共に排出されることで前記空気が除去され易くなる。これにより、さらに早期にサイホンを誘発することが可能となる。
【００２６】
また、汚物１７が蛇腹管２内を通過する時は、図６に示すように汚物１７が弁体１２を押し開いて蛇腹管２の他方端部２ａから排水管９に排出され弁体１２により詰まりが生じることがない。
【図面の簡単な説明】
【００２７】
【図１】本発明に係る水洗便器の排水ソケットの第１の実施形態の説明図
【図２】第１の実施形態の洗浄操作開始後の状態を示す図
【図３】第１の実施形態の洗浄操作開始後サイホン作用を誘発させる前の状態を示す図
【図４】本発明に係る水洗便器の排水ソケットの第２の実施形態の説明図
【図５】第１の実施形態の蛇腹管の別の実施形態の説明図
【図６】図５に示す弁体が開弁した状態の説明図
【符号の説明】
【００２８】
１…排水ソケット
１ａ…排出口収容部
１ｂ…流出口
１ｃ…拡張空間形成部
１ｄ…排水管接続管路部流入口
１ｅ…排水管接続管路部
１ｆ…連通孔
２…蛇腹管
２ａ…他方端部
３…駆動装置
３ａ…回動アーム
４…支持部材
５…対向面部
６…ボウル部
７…トラップ頂部
８…トラップ排水路
８ａ…上昇管路
８ｂ…下降管路
８ｃ…天井部
８ｄ…排水口
９…排水管
１０…水洗便器
１０ａ…リム部
１０ｂ…ジェット孔
１１…通気管
１２…弁体
１３…端部
１４…弁体回転中心
１５…開口部
１６…攪拌された空気
１７…汚物
【図１】
0004626807.tif 000002
【図２】
0004626807.tif 000003
【図３】
0004626807.tif 000004
【図４】
0004626807.tif 000005
【図５】
0004626807.tif 000006
【図６】
0004626807.tif 000007